(57)【要約】【課題】箪笥主体を扁平状に畳むことができ、箪笥主体を開いて組みたてることができる畳み可能の収納箪笥構造を提供する。【解決手段】該収納箪笥は、箪笥主体と層板、裏板、連結座、抵当板及び頂板とからなり、箪笥主体は、側板にレールにより可動板が枢着され、可動板と前板とがヒンジにより枢着され、ヒンジを中心として、側板と可動板を内へ回転して畳むことができ、層板を二つの対向する可動板と前板の定位槽内に嵌入し、また、裏板の両端に位置する穿孔に可動板の末端に位置する連結棒が嵌設され、そして、連結座の下端に位置する制限棒を二つの対向する側板の底端に位置する凹槽内に嵌入し、そして、抵当板を側板と連結座の定位槽に嵌入し、更に、頂板の底部に位置する凹み穴に側板の上端に位置する定位突出リブが嵌合され、後端の定位槽に、抵当板の上縁が嵌合される。【選択図】図１
2008264163.tif 000002
【特許請求の範囲】
【請求項１】
箪笥主体と層板、裏板、連結座、抵当板及び頂板とからなる収納箪笥であって、
箪笥主体の両側に、側板があり、該側板において、上端に、複数の定位突出リブが設けられ、また、定位槽と複数のレールが設けられ、また、一端の底部に、凹槽が設けられ、可動板が、レールにより、各側板のレールに枢着され、また、可動板において、末端に、複数の連結棒が設けられ、底端に、定位槽が形成され、また、両側板の対向する可動板同士の間において、ヒンジにより、前板が枢着され、該前板に、開口部と定位槽が形成され、また、両端に、ストッパー部があり、
裏板において、両端に、複数の穿孔と凹槽が設けられ、また、下端に、定位槽が形成され、
連結座において、上端に、定位槽が設けられ、両端の底部に、制限棒が設けられ、
頂板において、底部に、複数の凹み穴が設けられ、また、後端に、定位槽が設けられ、
上記の部品により、該箪笥主体の側板が、レールにより可動板に枢着され、また、可動板と前板が、ヒンジにより枢着されるため、ヒンジを中心として、側板と可動板を内へ回転して畳むことができ、これにより、該箪笥主体が扁平状に畳まれ、また、逆に、箪笥主体を開いて、対応する可動板と前板の定位槽内に層板を嵌入し、また、裏板の両端に位置する穿孔に、可動板の末端にある連結棒を嵌設し、そして、連結座の下端に位置する制限棒を、対応する側板の底端にある凹槽内に嵌入し、また、抵当板を側板と連結座の定位槽に嵌入し、頂板の底部の凹み穴に、側板の上端にある定位突出リブを嵌合し、後端に位置する定位槽に、抵当板上縁を嵌合することにより、畳み可能の収納箪笥が構成されることを特徴とする畳み可能の収納箪笥構造。
【発明の詳細な説明】
【技術分野】
【０００１】
本発明は、畳み可能の収納箪笥構造に関し、該収納箪笥は、箪笥主体と層板、裏板、連結座、抵当板及び頂板からなる。
【背景技術】
【０００２】
日常生活において、収納箪笥で、色々の品物を収納することが必要であり、そのため、収納箪笥は、我々の生活において、良く利用される家具であり、居間や食堂及び寝室に、収納箪笥が置かれ、また、市販の一般の収納箪笥が、固定式製品でありながら、その体積や重量が、ともに非常に大きいため、購入する時、一般の乗用車で運ぶことができず、貨車を利用しないと運ぶことができなく、また、室内に置かれると、空間によって制限されるため、移動し難く、ユーザーにとって不便であり、また、製造メーカが、収納箪笥を生産する時、その体積が大きいため、大きい空間が占用され、製造メーカにとって、保管空間や運搬のコストが高くなり、製造メーカの立場から見ると、解決すべき問題点である。
【発明の開示】
【発明が解決しようとする課題】
【０００３】
本発明の目的は、箪笥主体と層板、裏板、連結座、抵当板及び頂板からなり収納箪笥であって、該収納箪笥は、側板のレールに、可動板と前板とが、ヒンジにより枢着されるため、各ヒンジを中心として、側板と可動板とが内へ回転されて畳まれることができ、上記の構造により、箪笥主体が、扁平状に畳まれ、運搬と保管が便利になる利点が得られる畳み可能の収納箪笥構造を提供する。
【課題を解決するための手段】
【０００４】
本発明は、箪笥主体と層板、裏板、連結座、抵当板及び頂板とからなる収納箪笥であって、箪笥主体の両側に、側板があり、該側板において、上端に、複数の定位突出リブが設けられ、また、定位槽と複数のレールが設けられ、また、一端の底部に、凹槽が設けられ、可動板が、レールにより、各側板のレールに枢着され、また、可動板において、末端に、複数の連結棒が設けられ、底端に、定位槽が形成され、また、両側板の対向する可動板同士の間において、ヒンジにより、前板が枢着され、該前板に、開口部と定位槽が形成され、また、両端に、ストッパー部があり、裏板において、両端に、複数の穿孔と凹槽が設けられ、また、下端に、定位槽が形成され、連結座において、上端に、定位槽が設けられ、両端の底部に、制限棒が設けられ、頂板において、底部に、複数の凹み穴が設けられ、また、後端に、定位槽が設けられ、上記の部品により、該箪笥主体の側板が、レールにより可動板に枢着され、また、可動板と前板が、ヒンジにより枢着されるため、ヒンジを中心として、側板と可動板を内へ回転して畳むことができ、これにより、該箪笥主体が扁平状に畳まれ、また、逆に、箪笥主体を開いて、対応する可動板と前板の定位槽内に層板を嵌入し、また、裏板の両端に位置する穿孔に、可動板の末端にある連結棒を嵌設し、そして、連結座の下端に位置する制限棒を、対応する側板の底端にある凹槽内に嵌入し、また、抵当板を側板と連結座の定位槽に嵌入し、頂板の底部の凹み穴に、側板の上端にある定位突出リブを嵌合し、後端に位置する定位槽に、抵当板上縁を嵌合することにより、畳み可能の収納箪笥が構成されることを特徴とする畳み可能の収納箪笥構造である。
【発明を実施するための最良の形態】
【０００５】
図１を参照しながら、該収納箪笥１００は、箪笥主体１０と層板２０、裏板３０、連結座４０、抵当板５０及び頂板６０からなり、
箪笥主体１０の両側に、側板１１があり、該側板１１において、上端に、複数の定位突出リブ１２が設けられ、また、定位槽１３と複数のレール１４が設けられ、また、一端の底部に、凹槽１５が形成され、そして、可動板１６が、そのレール１６１により各側板１１のレール１４上に枢着され、可動板１６において、末端に、複数の連結棒１６２が設けられ、底端に、定位槽１６３が形成され、また、両側板１１の対向する可動板１６同士の間において、ヒンジ１７により、前板１８が枢着され、該前板１８に、開口部１８１と定位槽１８２が形成され、また、両端に、ストッパー部１８３が設けられる。
【０００６】
裏板３０は、両端に、複数の穿孔３１と凹槽３２が設けられ、また、下端に、定位槽３３が形成される。
【０００７】
連結座４０は、上端に、定位槽４１が設けられ、両端の底部に、制限棒４２が設けられる。
【０００８】
頂板６０は、底部に、複数の凹み穴６１が設けられ、また、後端に、定位槽６２が設けられる。
【０００９】
上記の部品により、該箪笥主体１０の両側板１１のレール１４に、可動板１６と前板１８とが、ヒンジ１７により枢着され、ヒンジ１７を中心として、可動板１６と側板１１とを前板１８に向かって内へ回転して畳むと、前板１８と可動板１６及び側板１１の三者を扁平状に畳むことができ（図２と３のように）、使用する時、可動板１６を、ヒンジ１７を中心して、外へ回転して開くと、側板１１と可動板１６とが、９０度になるように（図４と５のように）、前板１８の両端に位置するストッパー部１８３に抵当し、これにより、箪笥主体１０が、完全に開かれ、また、各層板２０を、二つの対向する可動板１６と前板１８の定位槽１６３、１８２内に嵌入し（図６のように）、また、各裏板３０を、両端に位置する穿孔３１により、対向する可動板１６の末端に位置する連結棒１６２に嵌設し、そして、底端の定位槽３３を、層板２０の後端に嵌合し、両端に設けられた凹槽３２により、側板１１のレール１６１と接触することがなく（図７のように）、また、連結座４０下端に位置する制限棒４２を、二つの対向する側板１１の底端に位置する凹槽１５内に嵌入し（図８と９のように）、また、抵当板５０を、側板１１と連結座４０の定位槽１３、４１内に嵌入し（図１０のように）、最後に、頂板６０は、底部に位置する凹み穴６１に、側板１１の上端に位置する定位突出リブ１２が嵌合され、また、後端の定位槽６２に、抵当板５０の上縁が嵌合されることにより、本発明に係わる畳み可能式の収納箪笥１００が構成される（図１１のようである）。
【００１０】
本発明に係わる畳み可能の収納箪笥１００構造によれば、箪笥主体１０が、扁平状に畳まれることができ、ユーザーにとって、運搬が容易になり、また、本発明の組みたてにツールを使用しないため、快速的に組みたてられる利点と運搬が便利である利点を達成できる。
【図面の簡単な説明】
【００１１】
【図１】本発明の立体分解図
【図２】本発明の立体作動図（１）
【図３】本発明の断面概念図（１）
【図４】本発明の立体作動図（２）
【図５】本発明の断面概念図（２）
【図６】本発明の立体作動図（３）
【図７】本発明の立体作動図（４）
【図８】本発明の立体作動図（５）
【図９】本発明の断面概念図（３）
【図１０】本発明の立体作動図（６）
【図１１】本発明の立体作動図（７）
【符号の説明】
【００１２】
１０      箪笥主体
１１      側板
１２      定位突出リブ
１３      定位槽
１４      レール
１５      凹槽
１６      可動板
１６１    レール
１６２    連結棒
１６３    定位槽
１７      ヒンジ
１８      前板
１８１    開口部
１８２    定位槽
１８３    ストッパー部
２０      層板
３０      裏板
３１      穿孔
３２      凹槽
３３      定位槽
４０      連結座
４１      定位槽
４２      制限棒
５０      抵当板
６０      頂板
６１      凹み穴
６２      定位槽
１００    収納箪笥
【図１】
2008264163.tif 000003
【図２】
2008264163.tif 000004
【図３】
2008264163.tif 000005
【図４】
2008264163.tif 000006
【図５】
2008264163.tif 000007
【図６】
2008264163.tif 000008
【図７】
2008264163.tif 000009
【図８】
2008264163.tif 000010
【図９】
2008264163.tif 000011
【図１０】
2008264163.tif 000012
【図１１】
2008264163.tif 000013